(57)【特許請求の範囲】
【請求項１】
コルゲータラインから供給される段ボールシートの幅方向両縁部の不要部分を流れ方向にトリミングすることのできるスリッタと、
前記スリッタにより段ボールシートを流れ方向にトリミングする前に、段ボールシートの幅方向両縁部の不要部分を、予め所要寸法だけ流れ方向にトリミングする前処理装置を前記スリッタの上流側に備えた段ボールシートのトリミング装置。
【請求項２】
前記前処理装置は、前記スリッタの上流側に独立したユニットとして配置される請求項１記載の段ボールシートのトリミング装置。
【請求項３】
前記前処理装置は、前記スリッタに一体的に組込まれる請求項１記載の段ボールシートのトリミング装置。
【請求項４】
コルゲータラインから供給される段ボールシートの幅方向両縁部の不要部分を流れ方向にトリミングすることのできる上流側スリッタ及び下流側スリッタを備え、
前記下流側スリッタによって段ボールシートを流れ方向にトリミングする前に、段ボールシートの幅方向両縁部の不要部分を予め所要寸法だけ上流側スリッタで流れ方向にトリミングすることから成る、
段ボールシートのトリミング方法。
【発明の詳細な説明】
【０００１】
【産業上の利用分野】
この発明は、例えば連続する段ボールシートから複数丁取りを行なう場合に、該シートの幅方向における両端縁部に生ずる不要部分を確実に処理することができ、併せて段ボールシートの蛇行を防止し得るようにしたトリミング装置及びトリミング方法に関するものである。
【０００２】
【従来技術】
コルゲータラインで連続的に製造される段ボールシートは、当該ラインの最終工程付近でスリッタにより流れ方向に複数の丁取りがなされると共に、必要に応じて横罫線加工（スコアリング）が行なわれる。そして丁取りされた各段ボールシートは、ロータリーカッタにより流れ方向に対し直角（幅方向）に断裁されて所要寸法長のシート材となり、これらシート材は下流側に設けたスタッカに積層貯留される。連続する段ボールシートから複数丁取りを行なう場合、該シートの幅方向における両端縁部には、シート材の仕上寸法に応じて大小の不要部分が生じ、該部分はスリッタにより切断（トリミング）されるようになっている。そしてトリミングされた不要部分（トリム片）は、下流側に設けた吸引手段により吸引されて段ボールシートから分離除去される。
【０００３】
【発明が解決しようとする課題】
前記トリム片は無駄となる部分であるので、その幅寸法を少なくするため、丁取り時に必要となる段ボールシートの幅寸法に応じて、原紙自体を交換することが行なわれていた。しかし、原紙の交換時にはコルゲータの運転速度が低下するため、オーダ変更毎に原紙の交換を行なっていると生産能率が著しく低下し、多品種小ロット生産に対応し得ないものであった。また、幅寸法の異なる多数の原紙を用意する必要があり、その保管管理が煩雑となる難点もあった。
【０００４】
そこで、多品種小ロット生産に対応する手段として、段ボールシートから生ずるトリム片の寸法が、オーダ変更により大きく変わらなければ、原紙を交換することなく同一の原紙を使用して段ボールシートの生産を継続することが行なわれている。前記段ボールシートから生ずるトリム片を吸引する吸引手段では、該トリム片を確実に吸引して段ボールシートから分離除去し得る寸法には限度があるが、生産能率の向上を図るために原紙を交換することなく段ボールシートの生産を行なっていると、前記吸引手段によりトリム片を段ボールシートから確実に分離除去し得ない大きな寸法のものを生ずることがある。このときには、段ボールシートから分離されていないトリム片を、シート材がスタッカに積層貯留された際に手作業により取除いているのが現状であり、作業者の負担となっていた。
【０００５】
また、段ボールシートからトリミングされるトリム片の幅寸法が極めて細くなるオーダの際には、連続する段ボールシートが幅方向に蛇行すると、左右何れか一方のトリム片が途中で切断されなくなるトリミング不良を生ずることがある。また、段ボールシートが正規の位置に戻ったとしても、トリミングする幅が極めて細いために、シートの両端縁部が円滑に切断されないまま走行する問題があった。
【０００６】
【発明の目的】
この発明は、前述した段ボールシートの不要部分の処理に内在している課題に鑑み、これを好適に解決するべく提案されたものであって、段ボールシートの生産能率を低下させることなく、不要部分を確実に自動処理し得るトリミング装置及びトリミング方法を提供することを目的とする。
【０００７】
【課題を解決するための手段】
前記課題を解決し、前記の目的を達成するため、この発明においては、
コルゲータラインから供給される段ボールシートの幅方向における両縁部の不要部分を流れ方向にトリミングすることのできるスリッタと、前記スリッタにより段ボールシートを流れ方向にトリミングする前に、段ボールシートの幅方向における両縁部の不要部分を、予め所要寸法だけトリミングする前処理装置を前記スリッタの上流側に備えたのである。前記前処理装置は、前記スリッタの上流側に独立したユニットとして配置してもよく、或はスリッタと一体的に組込んでもよい。
【０００８】
また、前記の課題を解決するために、この発明のトリミング方法においては、コルゲータラインから供給される段ボールシートの幅方向両縁部の不要部分を流れ方向にトリミングすることのできる上流側スリッタ及び下流側スリッタを備え、前記下流側スリッタによって段ボールシートを流れ方向にトリミングする前に、段ボールシートの幅方向両縁部の不要部分を予め所要寸法だけ上流側スリッタで流れ方向にトリミングするようにしたのである。
【０００９】
【実施例】
次に、本発明に係る段ボールシートのトリミング装置および蛇行防止方法につき、好適な実施例を挙げて、添付図面を参照しながら以下説明する。
【００１０】
本発明に係る装置では、基本的構成として要求されるのはスリッタであるが、実際の生産ラインでは丁取りした段ボールシートに併せて罫線加工（スコアリング）を施す必要が多く、従って図１の実施例では、スリッタ単独機ではなく、スリッタおよびスコアラを直列に併設したスリッタ・スコアラ装置を２基設けた構成としてある。このように同一のスリッタ・スコアラ装置を２基設ける理由は、段ボールシートの丁取り数その他丁取り幅を変更する際に、次のオーダ変更を非稼動中のスリッタ・スコアラ装置で予めセットアップしておき、両装置の切替えを瞬時に行なって生産ラインの停止を回避するためである。なお、スリッタ・スコアラ装置１０，１２の構成は同一であるので、段ボールシート１４の流れ方向上流側に位置するスリッタ・スコアラ装置１０の構成につき説明し、下流側のスリッタ・スコアラ装置１２の同一部材には同一の符号を付すものとする。
【００１１】
スリッタ・スコアラ装置１０を構成するスリッタ１６は、段ボールシート１４のパスラインＰＬを挟んで上下の関係で、相互に反対方向に回転する対をなす円盤状のスリッタナイフ１８，１８からなるスリッタナイフ組を、段ボールシート１４の幅方向に複数組備えている（図２参照）。そして、各対応のスリッタナイフ１８，１８の間に段ボールシート１４を供給することにより、該シート１４は流れ方向に切断される。各スリッタナイフ組は、幅方向に相互に移動自在に配設され、オーダ変更による丁取り数や丁取り幅の変更に応じて位置決め調整されるよう構成される。またスリッタ・スコアラ装置１０を構成するスコアラ２０は、段ボールシート１４のパスラインＰＬを挟んで上下の関係で、相互に反対方向に回転する対をなす罫線ロール２２，２２からなる第１ロール組を、段ボールシート１４の幅方向に複数組備えている。そして各ロール組は、スリッタ１６のスリッタナイフ組と同様に段ボールシート１４の幅方向に移動調整されるようになっている。なおスコアラ２０は、第１ロール組群と段ボールシート１４の流れ方向に直列の関係で、同一の構成に係る第２ロール組群を備えている。また、スリッタ１６およびスコアラ２０のスリッタナイフ１８，１８および罫線ロール２２，２２は、幅方向への移動調整時には、パスラインＰＬから上下に離間する位置に移動するよう構成されている。
【００１２】
前記スリッタ・スコアラ装置１０の下流側には、図示しない吸引源に接続する一対のトリムダクト２４，２４が配設され、スリッタ１６により切断されて段ボールシート１４から生ずるトリム片２６，２６を吸引して該シート１４から分離除去するようになっている。このトリムダクト２４，２４は、段ボールシート１４の丁取り数その他丁取り幅が変更された際に、前記スリッタナイフ１８，１８の移動調整と同期して移動調整され、トリム片２６，２６を確実に吸引し得る位置に位置決めされるよう構成される。
【００１３】
前記スリッタ・スコアラ装置１０の上流側に、独立したユニットとして構成された前処理装置２８が直列に配置されている。該装置２８の操作側および駆動側に離間して配設したフレーム３０，３０の間には、図３に示す如く、前記段ボールシート１４のパスラインＰＬを挟む上下に所定間隔離間して一対のガイドレール３２，３４が平行に架設されている。上側のガイドレール３２には、該レール３２の延在方向に離間して一対の上部ナイフ支持ユニット３６，３８が移動自在に配設されている。両ユニット３６，３８の構成は対称であるので、一方（図３において左側）のユニット３６の構成についてのみ説明し、他方の同一部材には同一の符号を付して示すこととする。
【００１４】
上側のガイドレール３２に移動部材４０が移動自在に配設され、この移動部材４０には、左右逆方向のねじが形成されたねじ軸４２の一方のねじ部が螺挿されている。また他方のナイフ支持ユニット３８の移動部材４０に他方のねじ部が螺挿されており、ねじ軸４２を図示しない作動機構により正逆回転させることにより、移動部材４０，４０が相互に近接および離間移動するよう構成されている。なお、移動部材４０の移動手段としては、ねじ軸を回転不能に配設すると共に、このねじ軸に回転可能に螺挿したナットを夫々独立に回転させることで、移動部材４０を移動させる構成を採用することも可能である。移動部材４０には、図４に示す如く、ホルダ４４が傾動自在に配設され、該ホルダ４４に円盤状のスリッタナイフ４６が回転自在に配設されている。このスリッタナイフ４６は、前記フレーム３０に配設したモータ４８により回転駆動される駆動軸５０によって、コルゲータの運転速度と比例して回転駆動されるようになっている。
【００１５】
前記移動部材４０にシリンダ５２が傾動可能に配設され、該シリンダ５２のピストンロッド５２ａを、ホルダ４４に突設した突片４４ａに枢支してある。そして、シリンダ５２を正逆方向に付勢してホルダ４４を傾動させることにより、前記スリッタナイフ４６を、段ボールシート１４の切断位置と、パスラインＰＬから上方に離間する退避位置とに位置決めし得るよう構成される。すなわち、スリッタナイフ４６を退避位置に位置決めした状態で、移動部材４０を段ボールシート１４の幅方向に移動させることにより、スリッタナイフ４６が段ボールシート１４に干渉しないようになっている。
【００１６】
前記下側のガイドレール３４には、図３に示す如く、上側のガイドレール３２に配設した各上部ナイフ支持ユニット３６，３８と対応して上下に対称となる構成の下部ナイフ支持ユニット５４，５６が配設されている。そして、対応する上下のユニット３６，５４（３８，５６）における切断位置に位置決めしたスリッタナイフ４６，４６（４６，４６）の間に段ボールシート１４を供給することにより、該シート１４を流れ方向に切断するよう構成されている。また、下部ナイフ支持ユニット５４，５６を移動する際には、スリッタナイフ４６，４６を、段ボールシート１４のパスラインＰＬから下方の退避位置に位置決めするようになっている。なお、下部ナイフ支持ユニット５４，５６の各部材については、上部ナイフ支持ユニット３６，３８の対応する同一部材と同じ符号を付してある。
【００１７】
前記前処理装置２８の下流側には、図４に示す如く、段ボールシート１４のパスラインＰＬより下側において、下側の各スリッタナイフ４６，４６と対応する位置にトリムダクト５８が夫々配置され、両ダクト５８，５８は、例えばナットとねじ軸との組合わせからなる移動機構（図示せず）により、前記移動部材４０，４０と対応して移動するよう構成される。トリムダクト５８は、図示しない吸引源に接続され、前記上下のスリッタナイフ４６，４６により切断されたトリム片２６を吸引するようになっている。なお、トリムダクト５８で吸引された長尺なトリム片２６は、図示しないカッタ装置により短尺な片に切断された後に廃棄される。
【００１８】
【実施例の作用】
次に、実施例に係る装置の作用につき説明する。なお、図１に示す装置において、上流側のスリッタ・スコアラ装置１０を使用して段ボールシート１４の丁取りを行ない、下流側のスリッタ・スコアラ装置１２は次のオーダ変更に対応するセットアップがなされた状態で待機しているものとする。また説明の便宜上、スリッタ・スコアラ装置１０のスリッタ１６により段ボールシート１４が切断されて生ずるトリム片の符号を２６ａとし、前処理装置２８により段ボールシート１４が切断されて生ずるトリム片の符号を２６ｂとする。
【００１９】
前記スリッタ・スコアラ装置１０では、図５に示す如く、５組のスリッタナイフ組により、コルゲータラインから供給されている段ボールシート１４を、幅寸法Ｈで４丁取りするよう設定されているものとする。この場合において、コルゲータラインから供給される段ボールシート１４の幅寸法をＬ、丁取りに必要となる段ボールシート１４の幅寸法をＭ（Ｈの４倍）とすれば、（Ｌ−Ｍ）／２＝Ｎが段ボールシート１４における片方の端縁部における不要部分（トリム片２６）の幅寸法となる。そして、前記トリムダクト２４により確実に処理し得るトリム片２６の最大幅寸法をＫとした場合、Ｎ＜Ｋであれば、スリッタ・スコアラ装置１０のみで、段ボールシート１４から生ずるトリム片２６ａ，２６ａを確実に処理することができる。
【００２０】
すなわち、前処理装置２８の各スリッタナイフ４６を退避位置に位置決めし、段ボールシート１４を素通りさせてスリッタ・スコアラ装置１０に供給する。該装置１０に供給された段ボールシート１４は、５組のスリッタナイフ組により幅寸法Ｈで４丁取りされると共に、幅方向両端に位置するスリッタナイフ組により幅寸法Ｎでトリム片２６ａ，２６ａが切断される。そして各トリム片２６ａは、スコアラ２０の下流に位置する対応のトリムダクト２４により段ボールシート１４から吸引除去される。
【００２１】
これに対して、Ｎ＞Ｋとなっている場合は、スリッタ・スコアラ装置１０のスリッタ１６で切断されたトリム片２６ａ，２６ａの幅寸法が大きくなって、トリムダクト２４，２４により確実に分離除去することができなくなる。従ってこのときには、前記前処理装置２８により予め段ボールシート１４の幅方向における両端縁部をトリミングする。すなわち、前処理装置２８における上下の各ナイフ支持ユニット３６，３８，５４，５６をシート１４の幅方向の両端部から、Ｎ−Ｋ＝ｎの幅だけ内側に臨ませる。これにより、コルゲータラインから供給されて前処理装置２８を通過した段ボールシート１４の両端縁部からは、幅寸法ｎのトリム片２６ｂ，２６ｂが切断される（図６参照）。そしてこのトリム片２６ｂ，２６ｂは、対応のトリムダクト５８，５８を介して吸引除去される。前処理装置２８を通過して両端縁部が所要寸法だけトリミングされた段ボールシート１４は、スリッタ１６を通過する際に、その両端縁部から幅寸法Ｎ−ｎのトリム片２６ａ，２６ａが切断される。そしてこのトリム片２６ａ，２６ａは、スコアラ２０の下流に位置する対応のトリムダクト２４，２４により確実に分離除去される。
【００２２】
ここで、段ボールシート１４の両端縁部の不要部分の幅寸法Ｎが、Ｎ＜Ｋの関係であれば、前述したようにスリッタ・スコアラ装置１０のみで対処することができる。この場合において、切断されるトリム片２６ａが極めて細くなるオーダの際に、連続する段ボールシート１４が幅方向に蛇行すると、左右何れか一方のトリム片２６ａを切断しているスリッタナイフ１８，１８の位置から段ボールシート１４の端縁部が離間してしまい、トリム片２６ａが途中で切断されなくなることがある。また、段ボールシート１４が正規の位置に戻ったとしても、スリッタナイフ１８，１８により切断する幅が極めて細いために、シート１４が円滑に切断されなくなると云う問題があった。
【００２３】
そこで実施例の装置では、スリッタ・スコアラ装置１０のみを使用している場合で、段ボールシート１４の蛇行によりトリム片２６ａ，２６ａの確実な切断に支障を来たすおそれのあるときには、前処理装置２８により段ボールシート１４の蛇行を防止し得るようになっている。すなわち、前処理装置２８における上部ナイフ支持ユニット３６，３８における各スリッタナイフ４６，４６を、段ボールシート１４の切断位置に臨ませた状態で、下部ナイフ支持ユニット５４，５６における各スリッタナイフ４６，４６を、段ボールシート１４のパスラインＰＬから下方の退避位置に移動させる。そして、上部支持ユニット３６，３８における各スリッタナイフ４６，４６を、図７に示す如く、コルゲータラインから供給される段ボールシート１４の幅寸法に合わせて位置調整する。これにより、前処理装置２８を通過する段ボールシート１４は、一対のスリッタナイフ４６，４６により幅方向への蛇行が防止される。すなわち、スリッタ・スコアラ装置１０の直前で段ボールシート１４の蛇行が防止されているので、スリッタ１６により極めて細いトリム片２６ａ，２６ａを確実に切断処理することができる。なお、段ボールシート１４の蛇行防止は、前処理装置２８における下部ナイフ支持ユニット５４，５６により行なうことも可能である。
【００２４】
コルゲータラインから供給される段ボールシート１４の幅寸法Ｌに対し、オーダ変更により丁取りに必要となる段ボールシート１４の幅寸法Ｍが変更されて、トリム片２６の幅寸法Ｎが、トリムダクト２４により確実に処理し得る最大幅寸法Ｋの約２倍以上となった場合は、原紙自体を交換する必要がある。この場合において、紙幅替えの先頭オーダを、前処理装置２８を使用することなくスリッタ・スコアラ装置１０のみにより確実にトリミングし得る寸法のものとなるよう生産予定を立てることにより、一基の前処理装置２８により連続オーダでの処理が可能となる。
【００２５】
すなわち、例えば図８に示すように、同一幅寸法の段ボールシート１４で、流れ方向にＮＯ．１０，ＮＯ．２０，ＮＯ．３０のオーダが設定され、ＮＯ．１０における不要部分の幅寸法Ｎ１がＮ１＜Ｋ、ＮＯ．２０で生ずる不要部分の幅寸法Ｎ２がＫ＜Ｎ２＜２Ｋ、ＮＯ．３０で生ずる不要部分の幅寸法Ｎ３がＫ＜Ｎ３＜２Ｋの関係となっているものとする。そして、ＮＯ．３０のオーダから次のオーダのために原紙の交換を行なった場合に、その先頭のオーダであるＮＯ．４０として、不要部分の幅寸法Ｎ４がＮ４＜Ｋの範囲のものに設定する。
【００２６】
前述したようにオーダが設定された段ボールシートの処理につき説明する。先ず、ＮＯ．１０のオーダを処理する際には、コルゲータラインから供給された段ボールシート１４を、前処理装置２８を素通しして、スリッタ・スコアラ装置１０に供給する。そして、スリッタ１６により幅寸法Ｎ１のトリム片２６ａを切断してトリムダクト２４により吸引除去する。
【００２７】
そして、上流側のスリッタ・スコアラ装置１０によりＮＯ．１０のオーダで段ボールシート１４を処理している間に、下流側のスリッタ・スコアラ装置１２のスリッタ１６やスコアラ２０を、ＮＯ．２０のオーダに対応するようセッティングする。また前処理装置２８においては、該装置２８でトリミングされた段ボールシート１４の残りの不要部分の幅寸法が、トリムダクト２４で処理し得る最大寸法Ｋ以下となるように、予め幅寸法ｎ１のトリム片２６ｂを切断処理する位置に、前記上下のナイフ支持ユニット３６，３８，５４，５６の調整を行なう。従って、ＮＯ．１０のオーダが終了してＮＯ．２０のオーダに切替った際には、前処理装置２８により段ボールシート１４の両端縁部を、予め幅寸法ｎ１だけトリミングし、そのトリム片２６ｂをトリムダクト５８により吸引除去する。そして、この段ボールシート１４は、下流側のスリッタ・スコアラ装置１２に供給され、スリッタ１６により幅寸法Ｎ２−ｎ１＝ｎ２のトリム片２６ａが切断処理される。
【００２８】
次に、ＮＯ．２０のオーダが終了してＮＯ．３０のオーダに切替った際には、非稼動中にセッティングが行なわれたスリッタ・スコアラ装置１０による段ボールシート１４の処理が行なわれる。この場合に、ＮＯ．３０で生ずる不要部分の幅寸法Ｎ３から前記前処理装置２８において切断処理するトリム片２６ｂの幅寸法ｎ１を差し引いた値ｎ３が、Ｋ＞ｎ３であれば、前処理装置２８の調整を行なうことなく該装置２８を引続いて使用することができる。すなわち、スリッタ・スコアラ装置１０，１２のみで段ボールシート１４を確実にトリミングすることのできないオーダが連続する場合（ＮＯ．２０，ＮＯ．３０）は、前処理装置２８でトリミングした後の段ボールシート１４の不要部分の幅寸法が、常にトリムダクト２４により処理し得る最大寸法Ｋ以下となるように、前記ｎ１の値を設定することが必要となる。
【００２９】
次いで、紙幅替えの先頭オーダとなるＮＯ．４０のオーダでは、前述した如く前処理装置２８を使用することなくスリッタ・スコアラ装置１０，１２のみで処理し得るよう設定されているので、ＮＯ．３０のオーダからＮＯ．４０のオーダに切替った際には、前処理装置２８に段ボールシート１４を素通しさせて、非稼動中にセッティングが行なわれたスリッタ・スコアラ装置１２に供給する。そして、段ボールシート１４をＮＯ．４０のオーダで処理中に、前処理装置２８およびスリッタ・スコアラ装置１０は、ＮＯ．５０のオーダに対応するセッティングを行なうことができる。
【００３０】
なお実施例では、前処理装置２８をスリッタ・スコアラ装置１０とは独立したユニットとして構成した場合につき説明したが、図９に示すように、スリッタ・スコアラ装置１０に前処理装置２８を一体に組付ける構成であってもよい。また、図９に示すように、スリッタ１６を上流側に、スコアラ２０を下流側に配列してもよい。またトリムダクト５８は、下部ナイフ支持ユニット５４，５６に一体的に配設して、該ユニット５４，５６と一体的に移動させることもできる。更に、トリムダクト５８を段ボールシート１４のパスラインＰＬより上方に配置する構成を採用することも可能である。更にまた、トリムダクト５８を設けないで、トリム片２６ｂ，２６ｂをトリム片２６ａ，２６ａと一緒にトリムダクト２４で吸引除去してもよい。また、前処理装置２８では上下のスリッタナイフ４６，４６により段ボールシート１４を切断する構成としたが、例えば段ボールシート１４を挟んで上側にスリッタナイフを配設すると共に下側に受け台を配設する１枚刃の構成を採用することもできる。またスリッタナイフ４６，４６でトリミングされたトリム片２６ｂ，２６ｂは、適宜の規制部材や偏向部材により段ボールシート１４から分離させることも可能である。
【００３１】
【発明の効果】
以上説明した如く、本発明に係る段ボールシートのトリミング装置及び方法によれば、スリッタによるトリミングで生ずるトリム片の処理が確実に行ない得ないおそれのある場合は、上流側で予め段ボールシートの両縁部を所要幅でトリミングしておくことにより、スリッタで生ずるトリム片の幅を小さくして確実な処理を行なうことができる。これにより、後工程で作業者が手作業によりシート材からトリム片を取除く等の作業を無くすことができ、労働の軽減を図ることが可能となる。また、オーダ変更に伴う原紙自体の交換を低減して生産能率を向上することができると共に、多品種小ロットに対応し得る利点を有する。更に、用意する原紙の種類を少なくして、その保管管理を容易にする効果を奏する。
【００３２】
また、段ボールシートの両端縁部の不要部分を予め所要寸法だけトリミングする一対のスリッタナイフにより、段ボールシートの幅方向の蛇行を防止し得るので、スリッタによるトリミング幅が極めて小さくても確実に処理することができ、常に正確な幅寸法のシート材を提供し得る。しかも専用の蛇行防止装置を設けるのではないので、コストが嵩んだり機構が複雑になることもない。
【図面の簡単な説明】
【図１】本発明の好適な実施例に係るトリミング装置を示す概略正面図である。
【図２】実施例に係るトリミング装置の要部を示す概略平面図である。
【図３】実施例に係る前処理装置の概略側面図である。
【図４】実施例に係る前処理装置の概略縦断正面図である。
【図５】段ボールシートを複数丁取りする場合の説明図である。
【図６】段ボールシートを複数丁取りする場合の別の説明図である。
【図７】前処理装置のカッタにより段ボールシートの蛇行を防止する状態を示す説明図である。
【図８】段ボールシートから複数の異なるオーダの複数丁取りを行なう場合の説明図である。
【図９】本発明の好適な別の実施例に係るトリミング装置を示す概略正面図である。
【符号の説明】
１４  段ボールシート
１６  スリッタ
２６  トリム片
４６  スリッタナイフ
【図１】
0003576210.tif 000002
【図２】
0003576210.tif 000003
【図３】
0003576210.tif 000004
【図４】
0003576210.tif 000005
【図５】
0003576210.tif 000006
【図６】
0003576210.tif 000007
【図７】
0003576210.tif 000008
【図９】
0003576210.tif 000009
【図８】
0003576210.tif 000010